(57)【特許請求の範囲】
【請求項１】
前方に開放する開口部(14)が形成された正面パネル(12)と、該正面パネル(12)の開口部(14)に沿って上下方向にスライドすることにより、該開口部(14)を開閉する扉(20)を備えた断熱箱体において、
前記正面パネル(12)の開口部(14)における下端縁部に、該縁部に沿って形成された溝(16)と、
前記溝(16)の開放上部を覆うように配置され、前記開口部(14)に沿って下方にスライドした前記扉(20)の下端部が当接する緩衝部材(18)と、
前記溝(16)内の底面で排水口(22a)が開口し、該溝(16)内の排水を外部に排出する排水パイプ(22)と、
前記緩衝部材(18)における排水パイプ(22)の排水口(22a)上方に臨む位置に穿設された連通孔(18a)とから構成した
ことを特徴とする断熱箱体の排水構造。
【発明の詳細な説明】
【０００１】
【発明の属する技術分野】
この発明は、断熱箱体の排水構造に関し、更に詳細には、例えば製氷機等の断熱箱体の前部に開設された開口部に溝を形成し、該開口部に配設された扉に生じる結露等の水を集めて箱体外部に排出するようにした断熱箱体の排水構造に関するものである。
【０００２】
【従来の技術】
従来の製氷機等では、図７に示すように、その本体をなす断熱箱体５０の内部上方に製氷機構(図示せず)を配設し、この製氷機構で製造した氷を、その下方に画成した貯氷室５６に落下放出することで順次貯留するようになっている。また断熱箱体５０の前部側には、その横幅よりも若干小さい幅寸法で開口部５０ａが開設されると共に、この開口部５０ａを閉成し得る大きさに成形された扉５２が、該開口部５０ａの横幅方向両側に形成した案内溝に沿って上下方向にスライド可能に配設されている。そして扉５２は、常には開口部５０ａを閉成する位置にあり、該扉５２を開口部５０ａに沿って上方に移動して該開口部５０ａを開放することで、貯氷室５６内に貯留されている氷を取り出し得るようになっている。また断熱箱体５０における開口部５０ａの内側下部には、図８に示す如く、貯氷室５６の前側上端部を覆うように内側に延出する庇状の案内部材５４が配設され、前記扉５２の表面に生じて開口部５０ａの下端縁部に流下した結露等の水が、該案内部材５４を介して箱体内に案内されるようになっている。
【０００３】
【発明が解決しようとする課題】
前記扉５２の表面に生ずる結露水は、該扉５２の表面に付着する埃や油分等を含むため、該結露水が前記案内部材５４を介して貯氷室５６内に流下すると不衛生になる欠点がある。また、前記開口部５０ａ内を清掃する際には、その洗浄水等が案内部材５４を介して貯氷室５６に流入することになる。そのため清掃に際しては、貯氷室５６内に貯留されている氷を予め全て取出してから清掃する必要があり、多大な手間と労力を要する難点が指摘される。
【０００４】
また、前記開口部５０ａの下端縁部に扉５２の下端部が直に当接するため、該扉５２の閉成状態においても組付け状態等によっては両者の間に隙間を生ずることがあり、箱体内の冷気が逃出することがある。なお、開放状態の扉５２を閉成する際に、該扉５２の下端部が開口部５０ａの下端縁部に当接して大きな衝撃や大きな騒音を発生する難点も指摘される。
【０００５】
【発明の目的】
この発明は、前述した従来の技術に内在している前記欠点に鑑み、これを好適に解決するべく提案されたものであって、開口部における下端縁部の排水が箱体内に入るのを防止すると共に冷気洩れを防ぎ、併せて扉の閉成時に大きな衝撃や騒音を発生することのない断熱箱体の排水構造を提供することを目的とする。
【０００６】
【課題を解決するための手段】
前記課題を克服し、所期の目的を好適に達成するため、本発明に係る断熱箱体の排水構造は、
前方に開放する開口部が形成された正面パネルと、該正面パネルの開口部に沿って上下方向にスライドすることにより、該開口部を開閉する扉を備えた断熱箱体において、
前記正面パネルの開口部における下端縁部に、該縁部に沿って形成された溝と、
前記溝の開放上部を覆うように配置され、前記開口部に沿って下方にスライドした前記扉の下端部が当接する緩衝部材と、
前記溝内の底面で排水口が開口し、該溝内の排水を外部に排出する排水パイプと、
前記緩衝部材における排水パイプの排水口上方に臨む位置に穿設された連通孔とから構成したことを特徴とする。
【０００７】
【発明の実施の形態】
次に、本発明に係る断熱箱体の排水構造につき、好適な実施例を挙げて、添付図面を参照しながら以下説明する。図１は、本発明の好適な実施例に係る排水構造が採用される製氷機を示すものであって、該製氷機９を構成する断熱箱体１０の内部に貯氷室２８が画成されると共に、その上部に製氷機構(図示せず)が配設され、該製氷機構で製造された氷を貯氷室２８内に貯留するよう構成される。また断熱箱体１０の前部開口に、所要寸法の開口部１４を形成した正面パネル１２が配設され、該開口部１４を介して氷が取出される。この正面パネル１２の開口部１４を画成する下端縁部には、該縁部に沿う横幅方向の略全長に亘って溝１６が延在するよう形成されている。この溝１６は、図５に示す如く、正面パネル１２の前面に配設されて、開口部１４の下端縁部(溝１６の底面)より上方に延出すると共に該開口部１４の横幅方向の全長に亘って延在する前壁部材１５と、パネル後部に配設されて、該下端縁部より所定高さで立上がると共に該開口部１４の横幅方向の全長に亘って延在する堰部材１７および開口部１４の下端縁部で画成され、後述する扉２０の表面に結露して流下した水(排水)を受容するよう構成される。また溝１６の底面は、正面から観察した形状が、図４に示す如く、正面パネル１２の横幅方向の略中央に向かって極めて緩やかに下方傾斜すると共に、その中央部で略水平となるよう成形されている。
【０００８】
前記溝１６における横幅方向の中央部には、該溝１６に受容された排水を機外に排出するための排水パイプ２２が、その上端部の排水口２２ａを溝底面で開口するよう配設されている。この排水パイプ２２は、図４に示す如く、正面パネル１２の対応位置において後側に向けて凹設された凹部１２ａ内に垂下すると共に、その下端部には、後述する排水管２６に一端部が連通接続する合成樹脂製の可撓性ホース２４の他端部が連通接続されている(図１参照)。なお可撓性ホース２４は、前記断熱箱体１０における正面パネル１２の配設位置より下方に配設した下フロントパネル１９に形成した切欠部１９ａから箱体内に引込まれて、前記貯氷室２８の下方に画成される機械室内を配管されるようになっている。
【０００９】
前記溝１６の内部には、図５に示す如く、溝底面に突設した段部１６ａ上に載置されて、該溝底面から所定高さだけ離間した状態で緩衝部材としてのパッキン１８が着脱可能に配設される。このパッキン１８は、図３に示すように、溝１６の開放上部を全体的に覆い得る横長寸法に成形された薄板状を呈し(図６参照)、前記開口部１４に沿って下方にスライドした扉２０(後述)の下端部が上方から当接するようになっている。また、パッキン１８における排水パイプ２２の排水口２２ａの上方に臨む位置には、該パッキン１８の長手方向に所定間隔で複数の連通孔１８ａが穿設され、パッキン１８上に滴下した排水(結露水等)を下方に排出するよう構成される。この連通孔１８ａの内径は、排水口２２ａの開口寸法よりも充分に小さい寸法に設定されており、当該連通孔１８ａを通過する大きさの塵埃等が排水パイプ２２の内部で詰まることがないよう構成される。なおパッキン１８は、扉２０を閉成した際の緩衝材を兼用することを目的として、ゴムや合成樹脂等の弾性材質のものが好適に使用される。
【００１０】
前記断熱箱体１０の機械室に配管された排水管２６が、図１に示す如く、前記貯氷室２８の底部に連通接続され、該室内で生じる結露水や氷の溶解水等を該排水管２６を介して箱体外に排出するよう構成される。この排水管２６の機械室内に臨む部位に、前記可撓性ホース２４が連通接続され、前記溝１６に受容した排水も該排水管２６で箱体外に排出するようになっている。なお排水管２６には、可撓性ホース２４の接続位置より下方(下流側)に排水トラップ３０が設けられている。この排水トラップ３０は、可撓性ホース２４が接続される上管体２６ａと、この上管体２６ａから所定間隔離間して鉛直下方に同軸的に配置された下管体２６ｂとの間に、ゴムあるいは合成樹脂等の可撓性管材の各端部を、各管体２６ａ,２６ｂの開放端部から所要位置まで外嵌して中間部位を鋭角に湾曲させることで形成される。そして排水トラップ３０は、その湾曲部位の内部に水を滞留させておくことで、該排水管２６を通して貯氷室２８や開口部１４に異臭あるいは虫等が入り込むのを防止するべく機能する。
【００１１】
前記正面パネル１２には、前記開口部１４を開閉する扉２０が、上下方向にスライド可能に配設されている。この扉２０の左右両端部近傍の上端部には、図１および図２に示すように、正面パネル１２の上部左右両端部近傍に回転可能に配設されたプーリ３４,３４に巻掛けられているワイヤ３２,３２の一端部が接続してある。また正面パネル１２における開口部１４の上方には、該開口部１４よりも横幅が小さくまた縦方向が開口部１４よりも若干幅広になるよう設定された略矩形状の膨出部３６が、前方に向かって膨出形成されている。この膨出部３６の内部には、略矩形状を呈する棒状の錘４０が上下動可能に収納されており、膨出部３６の左右上端部に穿設された楕円孔３８,３８を介して内部に挿通された前記ワイヤ３２,３２の他端部が、該錘４０の上端部の左右両端部近傍に接続されている。この錘４０は、前記扉２０と平衡し得る重量に設定されており、扉２０の開閉操作を容易に行ない得るよう構成してある。
【００１２】
前記膨出部３６の上端部には、前記楕円孔３８,３８の形成位置より内側において、横幅方向に離間して一対の取付孔４２,４２が穿設されており、各取付孔４２に、ゴム等の弾性部材からなるストッパ４４が夫々配設される。このストッパ４４は、膨出部３６の内側に一部を臨ませた状態で配設され、後述する如く、開口部１４を閉成するべく扉２０を下方にスライドさせた際に、前記ワイヤ３２,３２を介して膨出部３６内を上方に移動する錘４０の上端部が当接し、該錘４０の位置規制および緩衝を行なうべく機能する。なお、前記正面パネル１２の前側には図１に示すカバー４６が被着され、前記扉２０は正面パネル１２とカバー４６との間で上下にスライドするようになっている。またカバー４６には、開口部１４と対応する位置に連通枠部４６ａが開口され、扉２０を上方にスライドした際には、前記貯氷室２８は開口部１４および連通枠部４６ａを介して箱体外に連通する。
【００１３】
【実施例の作用】
次に、実施例に係る断熱箱体の排水構造の作用につき説明する。前記断熱箱体１０を構成する正面パネル１２の扉２０に結露を生ずると、この結露水は、該扉２０の表面や開口部１４の垂直周縁部を介して前記溝１６内に配設されている前記パッキン１８上に滴下する。パッキン１８上の排水は、その上面に沿って横幅方向の中央部に流れ、前記連通孔１８ａを介して溝１６の底面に落ち、前記排水パイプ２２の排水口２２ａから排出される。排水パイプ２２に流入した排水は、前記可撓性ホース２４を通って排水管２６に案内された後に、断熱箱体１０の外部に排出される。また、前記溝１６の底面上に直接滴下した結露水は、図３に示すように、前記排水パイプ２２の排水口２２ａに向けて所要角度で下方傾斜する底面に沿って該排水口２２ａに速やかに案内され、同じく可撓性ホース２４および排水管２６を介して箱体外に排出される。更に、正面パネル１２の開口部１４を清掃する際においても、その下端縁部に形成された溝１６内に入った洗浄水(排水)は、前記排水パイプ２２を介して箱体外に排出される。すなわち、正面パネル１２の表面に生じた結露水や洗浄水等が、開口部１４から貯氷室２８に入ることはなく、該貯氷室２８に浸入した排水により氷が融けたり再氷結するのを防止し得ると共に、衛生的に保つことができる。また、清掃の際に貯氷室２８に貯留されている氷を全て取出す必要もなく、作業が簡単となる。
【００１４】
前記パッキン１８は、溝１６に対して着脱可能に配設されているので、正面パネル１２の清掃時に該溝１６から取出してパッキン１８のみを単独で清掃することができ、常に衛生的に保ち得る。またパッキン１８の連通孔１８ａは、前述したように、排水パイプ２２の排水口２２ａよりも小径に設定されているので、該連通孔１８ａを通る塵埃等が排水パイプ２２に入り込んだ場合でも詰まりを生ずることが好適に防止される。なお、前記溝１６に受容した排水や、前記貯氷室２８内で生じた結露水および溶解水等を箱体外に排出する前記排水管２６に排水トラップ３０を設けてあるから、排水管２６を通して貯氷室２８や開口部１４に異臭あるいは虫等が入り込むのは防止される。また、排水パイプ２２と排水管２６とを接続する可撓性ホース２４は、断熱箱体１０内における機械室に配管されて貯氷室２８内には臨まないよう構成してあるから、該ホース２４の清掃を省くことができる。
【００１５】
前記開口部１４を閉成する扉２０の下端部は、前記溝１６内においてゴムや合成樹脂等の弾性部材により形成されている前記パッキン１８に当接しているから、該パッキン１８と扉２０の下端部との間には隙間は生じ難く、箱体内の冷気が逃出するのを防止し得る。また開放状態の扉２０を閉成する際には、該扉２０の下端部がパッキン１８に当接するので、扉２０や正面パネル１２に加わる衝撃を吸収し得ると共に騒音の発生も抑制することができる。なお、扉２０の閉成に際して前記膨出部３６内を上方に移動する前記錘４０は、該膨出部３６の上部に配設した弾性部材からなるストッパ４４,４４に当接するから、その当接時の衝撃や騒音の発生も抑制される。
【００１６】
なお、実施例では製氷機の断熱箱体に排水構造を採用した場合で説明したが、該排水構造が採用される断熱箱体としては、製氷機に限らず冷蔵庫や冷凍庫等に用いられるものであってもよい。
【００１７】
【発明の効果】
以上説明した如く、本発明に係る断熱箱体の排水構造によれば、正面パネルの開口部における下端縁部に溝を形成したので、正面パネルに配設された扉に生ずる結露水や清掃時に用いられる洗浄水等が断熱箱体の内部へ浸入するのを好適に防止して、該断熱箱体内の衛生状態を保持することができる。また溝内に、扉の下端部が当接する緩衝部材を配設したので、扉閉成時における衝撃や騒音の発生を抑制し得ると共に、箱体内からの冷気洩れを防止することができる。
【図面の簡単な説明】
【図１】  本発明の好適な実施例に係る排水構造を採用した製氷機の正面パネルおよび扉を分解状態で示す斜視図である。
【図２】  正面パネルに扉を配設した状態で一部を切欠いて示す正面図である。
【図３】  正面パネルの溝を示す要部切欠き正面図である。
【図４】  正面パネルを示す正面図である。
【図５】  図４のＶ−Ｖ線断面図である。
【図６】  正面パネルに配設されるパッキンの平面図である。
【図７】  従来の技術に係る排水構造が採用される断熱箱体を一部破断して示す要部側面図である。
【図８】  従来の技術に係る断熱箱体の要部縦断側面図である。
【符号の説明】
１２ 正面パネル，１４ 開口部，１６ 溝，１８ パッキン，１８ａ 連通孔
２０ 扉，２２ 排水パネル，２２ａ 排水口
【図１】
0003875000.tif 000002
【図２】
0003875000.tif 000003
【図３】
0003875000.tif 000004
【図４】
0003875000.tif 000005
【図５】
0003875000.tif 000006
【図６】
0003875000.tif 000007
【図７】
0003875000.tif 000008
【図８】
0003875000.tif 000009